(57)【要約】【課題】漏えい電流の値を調整可能にする電位治療装置を提供する。【解決手段】高圧トランスによって発生させた高電圧を電極２２，２３に印加し、大地から絶縁された被治療者Ｈの患部または全身に高電圧を加えて治療を行う電位治療装置１は、電極２２，２３に高電圧を印加する高圧トランス１９と、高圧トランス１９と電極２２，２３との間に接続され、電極２２，２３からの漏えい電流を調整するための調整装置２５と、を備えている。【選択図】図１
2019076336.tif 000002
【特許請求の範囲】
【請求項１】
入力電圧を昇圧して高電圧を生じさせる高圧トランスと、前記高圧トランスにより発生した高電圧が印加される電極と、前記高圧トランスと前記電極との間に接続され、前記電極からの漏えい電流の値を抑制する保護抵抗器と、を備え、
前記電極を絶縁した状態で被治療者に対して高電圧を加えて治療を行う電位治療装置であって、
前記電極からの漏えい電流の値を調整する調整手段を設けた
ことを特徴とする電位治療装置。
【請求項２】
高電圧が印加される電極を少なくとも２つ有し、これら電極間に電界を発生させて被治療者に対して高電圧を加える電位治療装置で、
これら電極のうち少なくとも１つの電極からの漏えい電流の値を調整する調整手段を設けた
ことを特徴とする請求項１に記載の電位治療装置。
【請求項３】
前記調整手段は、前記電極を選択的に接続する複数の出力端子を備え、
これら出力端子と調整手段の入力側との間に、各出力端子からの出力電流の値が異なるように、所定の抵抗値の調整抵抗器をそれぞれ介在した
ことを特徴とする請求項１又は２に記載の電位治療装置。
【請求項４】
前記調整手段は、前記電極を接続する１つの出力端子を備え、
該出力端子と調整手段の入力側との間に、出力端子からの出力電流の値を調整する調整抵抗器と、該調整抵抗器を迂回するバイパス回路とを有し、
該バイパス回路に導通の可否を選択する切替スイッチを設けた
ことを特徴とする請求項１又は２に記載の電位治療装置。
【請求項５】
前記調整手段の調整抵抗器が可変抵抗器で構成され、該可変抵抗器の抵抗値を可変することより出力端子の出力電流の値を調整する
ことを特徴とする請求項１又は２に記載の電位治療装置。
【発明の詳細な説明】
【技術分野】
【０００１】
本発明は、治療中の体感を調整することが可能な電位治療装置に関する。
【背景技術】
【０００２】
高圧トランス（変圧器）を使用して商用電源の電圧を昇圧し、高電圧を発生させる装置として、頭痛や肩こり等の治療を行う電位治療装置が知られている（例えば、特許文献１参照。）。この電位治療装置は、高圧トランスによって発生させた高電圧を電極に印加し、大地から絶縁された人体の患部または全身に高電圧を加えて治療を行う装置である。
【０００３】
図５は、このような電位治療装置の従来例として示す、電位治療装置１００の構成の例を示す斜視図である。また、図６は、図５の電位治療装置１００の機能構成の例を示す機能ブロック構成図である。この電位治療装置１００は、外観として被治療者Ｈが着座する椅子１０１と、電位治療装置１００の操作を行うために椅子１０１の肘掛に配設された手元操作部１０２と、通電部１０３，１０４と、を備え、内部の機能構成として、電源プラグ１０５と、メインスイッチ１０６と、出力スイッチ１０７と、ＡＣ／ＤＣ変換器１０８と、高圧トランス１０９と、マイコン１１０と、操作部１１１と、電極１１２，１１３と、ＬＥＤ１１４とを備えている。
【０００４】
通電部１０３，１０４は、被治療者Ｈに高電圧を加えるため、それぞれ電極１１２，１１３に絶縁部材を覆って構成されている。通電部１０３は、椅子１０１に被治療者Ｈが着座した時に被治療者Ｈの頭上に位置するように、椅子１０１の背もたれの上部に配設されている。通電部１０４は、椅子１０１に被治療者Ｈが着座した時に被治療者Ｈの足下に位置するように、椅子１０１の前方の床上に配設されている。図５に示すように、この電位治療装置１００に被治療者Ｈが着座した状態で駆動されると、電極１１２と１１３とにそれぞれ高電圧が印加され、通電部１０３と通電部１０４との間で電界が発生して治療が行われる。なお、通電部１０３，１０４には逆位相の高電圧が印加されるようになっている。
【０００５】
高圧トランス１０９は電位治療装置１００の椅子１０１の背面下部に設けられたケース体（図示は省略する。）に内蔵され、このケース体から電源コードが延出され、その先端に電源プラグ１０５が設けられている。また、ケース体にはメインスイッチ１０６が設けられ、メインスイッチ１０６のオンで当該電位治療装置１００への給電がなされ、電位治療装置１００がスタンバイ状態となる。
【０００６】
出力スイッチ１０７は、メインスイッチ１０６と高圧トランス１０９との間に配置され、マイコン１１０により制御される。マイコン１１０は、操作部１１１の操作により制御され、この操作部１１１は図５における手元操作部１０２に配設されている。
【０００７】
手元操作部１０２にはＬＥＤ１１４とスイッチ（図示は省略する。）とが配置され、該スイッチを操作するとマイコン１１０を制御し、出力スイッチ１０７のオン／オフ制御及びＬＥＤ１１４の点灯／消灯を行なうようになっている。ＡＣ／ＤＣ変換器１０８は、メインスイッチ１０６とマイコン１１０との間に配置され、メインスイッチ１０６をオン状態にしたときに電源プラグ１０５からの交流（ＡＣ）を直流（ＤＣ）に変換してマイコン１１０に給電する。電極１１２，１１３には、高圧トランス１０９によって発生された高電圧が印加される。
【０００８】
この電位治療装置１００は、電源プラグ１０５から給電されてメインスイッチ１０６をオン状態にすると操作部１１１の操作待ち（スタンバイ状態）となる。次に操作部１１１の操作により、マイコン１１０を制御して出力スイッチ１０７をオン状態にすると高圧トランス１０９により高電圧が発生され、電極１１２，１１３に高電圧が印加されて、通電部１０３と通電部１０４との間に電界が発生する。これと同時にマイコン１１０の制御により上記ＬＥＤ１１４が発光する。
【０００９】
特許文献１は上述のような電位治療装置１００と同様な電位治療器を示すもので、表示・入力制御回路１４により、高圧トランスＴ１の出力制御及び表示手段の表示／非表示の制御を行なっている。
【先行技術文献】
【特許文献】
【００１０】
【特許文献１】特開２０１７−０３８８３６号公報
【発明の概要】
【発明が解決しようとする課題】
【００１１】
ところで、電位治療装置１００は安全性の観点から、ＪＩＳ規格において導子部からの漏えい電流の値が規定されている。
【００１２】
そこで、電位治療装置１００の高圧トランス１０９の出力側に保護抵抗器（図示は省略する。）を設け、通電部（導子部）１０３，１０４からの漏えい電流が「ＪＩＳ規定値以下」になるようにしている。
【００１３】
この漏えい電流が大きいと被治療者Ｈはビリビリ感を強く感じる。このビリビリ感は人によっては、電気、電流、電界等に対する恐怖心を生じさせたりする場合があるため、実際には漏えい電流値をＪＩＳ規定値の最大値よりも比較的弱い値になるように設定している場合が多い。
【００１４】
ビリビリ感は、電位治療装置１００での治療中の体感のひとつであり、通常の治療においても被治療者Ｈが体感できるものであるが、被治療者Ｈが周囲の壁（接地）などに体の一部を近づけたりすると、壁と体の一部との間で生ずる軽い放電現象で、被治療者Ｈはより強い「ビリビリ」とした感覚を受ける。
【００１５】
これは電位治療装置１００で治療をしていると被治療者Ｈの人体電位が高くなり、周囲の壁などとの間に電位差が生じるためである。
【００１６】
そして、高圧トランス１０９の出力電流の値が大きいと通電部１０３，１０４の漏えい電流の値が大きくなって被治療者Ｈの人体電位が高くなる。逆に高圧トランス１０９の出力電流の値が小さいと人体電位が低くなる。
【００１７】
また、被治療者Ｈの人体電位は、通電部１０３，１０４の電極１１２，１１３と被治療者Ｈとの距離（間隔）に反比例し、その距離が大きいと上記人体電位は低く、逆にその距離が小さいと人体電位が高くなる。
【００１８】
このビリビリ感は人によって感じ方が異なり、電位治療装置１００の置かれた環境、例えば、湿度、温度などによっても異なって感じられる。
【００１９】
また、長年、電位治療を行うことにより慣れが生じ、ビリビリ感が感じにくくなる場合もある。
【００２０】
一方、電位治療装置１００で発生する電界は不可視なものであり、被治療者Ｈによっては、上記「ビリビリ感」によって「治療中」であることを認識するため、わざわざ体の一部を壁等に近づけたりすることが行なわれることがある。
【００２１】
そして、ビリビリ感が弱くなったと感じるようになったとき（環境、慣れなどで）、被治療者Ｈは電位治療装置１００が故障したと誤認してしまうことがある。
【００２２】
そこで本発明は、電極からの漏えい電流の値を調整可能にする電位治療装置を提供することを目的とする。
【課題を解決するための手段】
【００２３】
上記課題を解決するために、請求項１に記載の発明は、入力電圧を昇圧して高電圧を生じさせる高圧トランスと、前記高圧トランスにより発生した高電圧が印加される電極と、前記高圧トランスと前記電極との間に接続され、前記電極からの漏えい電流の値を抑制する保護抵抗器と、を備え、前記電極を絶縁した状態で被治療者に対して高電圧を加えて治療を行う電位治療装置であって、前記電極からの漏えい電流の値を調整する調整手段を設けた、ことを特徴とする。
【００２４】
請求項２に記載の発明は、請求項１に記載の電位治療装置において、高電圧が印加される電極を少なくとも２つ有し、これら電極間に電界を発生させて被治療者に対して高電圧を加える電位治療装置で、これら電極のうち少なくとも１つの電極からの漏えい電流の値を調整する調整手段を設けたことを特徴とする。
【００２５】
請求項３に記載の発明は、請求項１又は２に記載の電位治療装置において、前記調整手段は、前記電極を選択的に接続する複数の出力端子を備え、これら出力端子と調整手段の入力側との間に、各出力端子からの出力電流の値が異なるように、所定の抵抗値の調整抵抗器をそれぞれ介在した、ことを特徴とする。
【００２６】
請求項４に記載の発明は、請求項１又は２に記載の電位治療装置において、前記調整手段は、前記電極を接続する１つの出力端子を備え、該出力端子と調整手段の入力側との間に、出力端子からの出力電流の値を調整する調整抵抗器と、該調整抵抗器を迂回するバイパス回路とを有し、該バイパス回路に導通の可否を選択する切替スイッチを設けた、ことを特徴とする。
【００２７】
請求項５に記載の発明は、請求項１又は２に記載の電位治療装置において、前記調整手段の調整抵抗器が可変抵抗器で構成され、該可変抵抗器の抵抗値を可変することより出力端子の出力電流の値を調整するようにした、ことを特徴とする。
【発明の効果】
【００２８】
請求項１に記載の発明によれば、調整手段を設けたので、ビリビリ感を調整することができ、被治療者の好みに合わせて設定することができ、また、ビリビリ感が弱くなったとき設定を変更することにより電位治療装置の故障と誤認されることを防止することができる。
【００２９】
請求項２に記載の発明によれば、請求項１の電位治療装置と同様に、電極の漏えい電流の値を調整することができるとともに、２つの電極間に電界を形成するようにしたので、安定した電界を形成することができ、治療効率の向上を期待することができる。
【００３０】
請求項３に記載の発明によれば、請求項１又は２に記載の電位治療装置において、調整手段に高圧トランスの出力電流の値が異なる複数の出力端子を備えたので、これら複数の出力端子に選択的に電極を接続することができ、簡便にビリビリ感を変更することができる。
【００３１】
請求項４に記載の発明によれば、請求項１又は２に記載の電位治療装置において、調整手段を切替スイッチで構成し、該切替スイッチの切替により出力端子の電流値を調整するので、簡便にビリビリ感を変更することができる。
【００３２】
請求項５に記載の発明によれば、請求項１又は２に記載の電位治療装置において、調整手段を可変抵抗器で構成し、該可変抵抗器の抵抗値を可変することより出力端子の電流値を調整するので、簡便にビリビリ感を変更することができ、しかも無段階での調整を可能にすることができる。
【図面の簡単な説明】
【００３３】
【図１】この発明の実施の形態１に係る電位治療装置１の機能構成を示す機能ブロック構成図である。
【図２】図１の高圧トランス１９及び調整装置２５を示す回路構成図である。
【図３】この発明の実施の形態２に係る高圧トランス１９及び調整装置２５Ａを示す回路構成図である。
【図４】この発明の実施の形態３に係る高圧トランス１９及び調整装置２５Ｂを示す回路構成図である。
【図５】従来例である電位治療装置１００の構成の例を示す斜視図である。
【図６】図５の電位治療装置１００の機能構成の例を示す機能ブロック構成図である。
【発明を実施するための形態】
【００３４】
以下、この発明を図示の実施の形態に基づいて説明する。
【００３５】
（実施の形態１）
図１及び図２は、この実施の形態に係る電位治療装置１を示し、図１は、この電位治療装置１の機能構成を示す機能ブロック構成図である。この電位治療装置１は、高圧トランスによって発生させた高電圧を電極に印加し、大地から絶縁された人体の患部または全身に高電圧を加えて治療を行う装置であり、図５の電位治療装置１００と同様に、外観として被治療者Ｈが着座する椅子１１と、電位治療装置１の操作を行うために椅子１１の肘掛に配設された手元操作部１２と、通電部１３，１４と、を備えている。
【００３６】
また、電位治療装置１は、図６の電位治療装置１００と同様に、内部の機能構成として、電源プラグ１５と、メインスイッチ１６と、出力スイッチ１７と、ＡＣ／ＤＣ変換器１８と、高圧トランス１９と、マイコン２０と、操作部２１と、電極２２，２３と、ＬＥＤ２４とを備えており、さらに、調整装置（調整手段）２５を備えている。すなわち、実施の形態１に係る電位治療装置１が図６で例示した従来の電位治療装置１００と相違する点は、調整装置２５を備えている点である。なお、電極２２，２３には逆位相の高電圧が印加されるようになっている点は上記従来の電位治療装置１００と同様である。
【００３７】
調整装置２５は、被治療者Ｈの頭上に位置する電極２２と、被治療者Ｈの足下に位置する電極２２，２３からの漏えい電流を調整するための装置であり、高圧トランス１９と電極２２，２３との間に接続されている。なお、調整装置２５は電極２２，２３のどちらか、もしくは両方に接続することが可能であるが、ここでは被治療者Ｈの足下に位置する電極２２，２３に調整装置２５を接続するものについて説明する。
【００３８】
図２は、図１の高圧トランス１９及び調整装置２５を示す回路構成図である。
【００３９】
高圧トランス１９は、電極２２，２３に高電圧を印加する装置であり、電磁誘導によって電圧を発生させ、コイルの巻き数によって電圧を昇圧する装置である。
【００４０】
高圧トランス１９の後段には保護抵抗器２６を介して調整手段２５が設けられ、この調整手段２５は、所定の抵抗値の調整抵抗器２５１とバイパスライン２５２とが保護抵抗器２６の後段に接続されており、調整抵抗器２５１の後段に第１の出力端子２５３が、また、バイパスライン２５２の後段が第２の出力端子２５４となっている。
【００４１】
保護抵抗器２６は、上記従来の電位治療装置１００で説明したように電極２２，２３からの漏えい電流がＪＩＳの規定値以下になるようにするためのものである。
【００４２】
第２の出力端子２５４は、保護抵抗器２６の中間部位に接続されており、第１の出力端子２５３よりも漏えい電流は多くなる。そのため第２の出力端子２５４に電極２２，２３が接続された時にＪＩＳの規定値以下となるようにする。
【００４３】
しかして、実施の形態１に係る電位治療装置１にあっては、出力電流の値の異なる第１の出力端子２５３と第２の出力端子２５４とを有するため、選択的に電極２２，２３を出力端子２５３又は２５４に接続することにより電極２２，２３からの漏えい電流の値を調整することができる。
【００４４】
即ち、電極２２，２３を、電位治療装置１の第１の出力端子２５３に接続している場合には、ビリビリ感がやや弱く感じ、第２の出力端子２５４に接続している場合にはビリビリ感がやや強く感じることになる。
【００４５】
したがって、被治療者Ｈがビリビリ感をあまり感じたくなければ電極２２，２３を第１の出力端子２５３に接続し、ビリビリ感をより強く感じたければ電極２２，２３を第２の出力端子２５４に接続する。
【００４６】
このように本発明に係る電位治療装置１にあっては、電極２２，２３を第１の出力端子２５３に接続した状態で電位治療装置１を使用すると、所定の強さの「ビリビリ感」を体感するのに対し、第２の出力端子２５４に接続した状態で電位治療装置１を使用すると、第１の出力端子２５３に接続した状態よりも強い「ビリビリ感」を体感することができる。
【００４７】
そこで、被治療者Ｈが所定の強さの「ビリビリ感」に慣れてしまった場合に、電極２２，２３に接続される配線を第２の出力端子２５４に差し替えることでより強い「ビリビリ感」を体感することができ、電気的刺激による「ビリビリ感」を制御することが可能であるため、より満足度の高い治療を行うことができる。
【００４８】
また、調整装置２５は、調整抵抗器２５１と、バイパスライン２５２と、出力端子２５３，２５４とから構成されているので、簡便な構成で漏えい電流の値を調整することが可能である。
【００４９】
なお、この実施の形態１では、バイパスライン２５２を１つだけ設けたものについて説明したが、バイパスラインを複数設けて、そのうちの１つは出力端子を後段に直接設けて、他のバイパスラインには異なった抵抗値の調整抵抗器をそれぞれ設けるようにすれば、電極２２，２３の漏えい電流の値を複数段階に調整することが可能になる。
【００５０】
このようにすると、電極２２，２３を出力端子２５３，２５４，…のいずれかに選択的に接続して電極２２，２３からの漏えい電流の値を選択的に大きくしたり小さくしたりすることができ、被治療者Ｈは強度の異なったビリビリ感を選ぶことができる。
【００５１】
また、この実施の形態１に係る電位治療装置１にあっては、電極２２，２３が２つのものについて説明したが、これに限らず、１つの電極であっても良いし、３つ以上の電極であっても良い。
【００５２】
（実施の形態２）
図３は、この発明の実施の形態２に係る電位治療装置に配設された高圧トランス１９及び調整装置２５Ａを示す回路構成図である。この調整装置（調整手段）２５Ａを、上記実施の形態１の調整装置２５と比較すると、複数の出力端子を持たずＯＮ／ＯＦＦスイッチで電極２２，２３の漏えい電流値を調整する点で異なり、その他の構成については、実施の形態１に係る電位治療装置１と同様である。
【００５３】
高圧トランス１９の後段には保護抵抗器２６を介して調整手段２５Ａが設けられ、この調整手段２５Ａは、調整抵抗器２５１Ａと、調整抵抗器２５１Ａの後段側端部の出力端子２５３と、調整抵抗器２５１Ａを迂回するように設けられたバイパス回路２５５とを備え、該バイパス回路２５５にはＯＮ／ＯＦＦスイッチ２５６を有する。
【００５４】
具体的には、スイッチ２５６の前段が調整抵抗器２５１Ａの前段側端部に、スイッチ２５６の後段が出力端子２５３にそれぞれ接続されており、これによりスイッチ２５６をＯＮすると出力端子２５３にはバイパス回路２５５を経由した出力電流が出力され、スイッチ２５６をＯＦＦすると出力端子２５３には調整抵抗器２５１Ａを経由した出力電流が出力される。
【００５５】
従って、出力端子２５３に接続された電極２２，２３からの漏えい電流の値を、スイッチ２５６のＯＮ／ＯＦＦにより調整することができ、被治療者Ｈはスイッチ２５６の切替動作だけで、ビリビリ感を調整することができる。なお、このようなスイッチ２５６の制御回路を上記電位治療装置１の手元操作部１２に設ければ、被治療者Ｈは手元操作部１２の操作で簡単にビリビリ感の調整を簡単に行なうことができる。
【００５６】
また、このようなスイッチ２５６は、電位治療装置１のリモコンにより操作可能として、そのリモコンでマイコンを制御して切り替えるようにしてもよい。
【００５７】
なお、この実施の形態２ではバイパス回路２５５を１つだけ設ける構成としたが、バイパス回路を複数設け、スイッチ２５６を複数のバイパス回路のいずれかを導通させるか選択可能に構成することもでき、このようにすることにより、出力端子２５３からの出力電流の値をより細かく調整することができる。
【００５８】
（実施の形態３）
図４は、この発明の実施の形態３に係る電位治療装置に配設された高圧トランス１９及び調整装置２５Ｂを示す回路構成図である。この調整装置（調整手段）２５Ｂを、上記実施の形態１の調整装置２５と比較すると、複数の出力端子を持たず可変抵抗値で電極２２，２３の漏えい電流値を調整する点で異なり、その他の構成については、実施の形態１に係る電位治療装置１と同様である。
【００５９】
高圧トランス１９の後段には保護抵抗器２６を介して調整手段２５Ｂが設けられ、この調整手段２５Ｂは、可変抵抗器からなる調整抵抗器２５７を有する。この調整抵抗器２５７には、図示しないスライダを有し、スライダを移動させることによりこの調整抵抗器２５７の抵抗値が変更できるようになっている。
【００６０】
これにより調整抵抗器２５７のスライダを移動させると調整抵抗器２５７の後端部に接続された出力端子２５３に出力される出力電流の値が調整される。
【００６１】
従って、出力端子２５３に接続された電極２２，２３からの漏えい電流の値を、調整抵抗器２５７のスライダを移動させることにより調整することができ、被治療者Ｈはスライダの移動だけで、ビリビリ感を調整することができる。
【００６２】
なお、実施の形態３における調整抵抗器２５７を半固定抵抗器で構成して回路基板上に設けるようにしても良い。これは、安全性の観点から被治療者Ｈが容易にビリビリ感の調整をできないようにしておき、調整が必要となった時点で技術者が調整するようにするためである。
【００６３】
上記実施の形態１，２，３においては、保護抵抗器２６を高圧トランス１９と調整装置２５，２５Ａ，２５Ｂとの間に接続したものについて説明したが、高圧トランス１９側に部品として構成してもよいし、或いは調整装置２５，２５Ａ、２５Ｂの内部の部品として構成してもよい。
【００６４】
以上、この発明の各実施の形態について説明したが、具体的な構成は、上記の各実施の形態に限られるものではなく、この発明の要旨を逸脱しない範囲の設計の調整等があっても、この発明に含まれる。例えば、調整装置２５，２５Ａ，２５Ｂは保護抵抗器２６と高圧トランス１９との間に配置してもよい。
【００６５】
また、２つの電極２２，２３をともに調整装置２５，２５Ａ，２５Ｂを介して接続するようにしたが、一方の電極２３のみを調整装置２５，２５Ａ，２５Ｂを介して接続するようにしてもよい。
【符号の説明】
【００６６】
１                                  電位治療装置
１１                                椅子
１２                                手元操作部
１３，１４                          通電部
１５                                電源プラグ
１６                                メインスイッチ
１７                                出力スイッチ
１８                                ＡＣ／ＤＣ変換器
１９                                高圧トランス
２０                                マイコン
２１                                操作部
２２，２３                          電極
２４                                ＬＥＤ
２５，２５Ａ，２５Ｂ                調整装置（調整手段）
２６                                保護抵抗器
２５１，２５１Ａ                    調整抵抗器
２５２                              バイパスライン
２５３                              出力端子（第１の出力端子）
２５４                              出力端子（第２の出力端子）
２５５                              バイパス回路
２５６                              スイッチ
２５７                              調整抵抗器（可変抵抗器）
【図１】
2019076336.tif 000003
【図２】
2019076336.tif 000004
【図３】
2019076336.tif 000005
【図４】
2019076336.tif 000006
【図５】
2019076336.tif 000007
【図６】
2019076336.tif 000008